(57)【要約】【課題】必要に応じて肘掛けを跳ね上げて側方を開放する。【解決手段】左右の框３１および左右の框３１の上端部にわたって架設された笠木３２からなる背当て３を座部２に設けた椅子において、前記背当て３を構成する左右の框３１に、該框を包囲して取付金具４がそれぞれ固定され、各取付金具４に設けた軸部に肘掛け５のアーム５２がそれぞれ回動自在に軸支される。そして、肘掛け５が取付金具４に設けたストッパ４２２によって略水平状態に支持される。【選択図】図１
2005137873.tif 000002
【特許請求の範囲】
【請求項１】
左右の框および左右の框の上端部にわたって架設された笠木からなる背当てを設けた椅子において、前記背当ての左右の框に該框を包囲してそれぞれ取付金具が固定され、各肘掛けのアームが取付金具に設けた軸部にそれぞれ回動自在に軸支されるとともに、各肘掛けのアームが取付金具に設けたストッパに略水平状態に支持されることを特徴とする椅子の肘掛け構造。
【請求項２】
前記ストッパが肘掛けのアームとの当接位置を調整自在であることを特徴とする請求項１記載の椅子の肘掛け構造。
【請求項３】
前記肘掛けのアームにストッパピンが摺動自在に嵌挿されるとともに、ストッパピンに対応して取付金具に嵌合穴が形成され、また、ストッパピンは、嵌合穴に嵌合する方向にスプリングを介して付勢されていることを特徴とする請求項１記載の椅子の肘掛け構造。
【請求項４】
前記背当ての左右の框にわたって複数本の補強材が配設されていることを特徴とする請求項１記載の椅子の肘掛け構造。
【請求項５】
前記ストッパピンの直径方向にロックピンが設けられる一方、肘掛けのアームにロックピンが嵌入可能なガイド穴が形成されていることを特徴とする請求項３記載の椅子の肘掛け構造。
【請求項６】
前記肘掛けのアームの後端部に、取付金具との間隔を保持する規制突起を設けたことを特徴とする請求項１記載の椅子の肘掛け構造。
【発明の詳細な説明】
【技術分野】
【０００１】
本発明は、椅子の肘掛け構造に関するものである。
【背景技術】
【０００２】
一般に、トイレ室での用便が困難な場合には、ポータブルトイレが使用される。このようなポータブルトイレは、中央に開口部が形成された天板および天板の周縁に垂設された周壁からなるトイレ本体を合成樹脂によって一体に成形したものであり、持ち運びできるように構成されている。そして、天板の開口部を通して内部に挿入された汚物ポットを天板に支持するようにしている。
【０００３】
このようなポータブルトイレにおいても、腰掛け動作や立ち上がり動作の負担を軽減したり、あるいは、背中を支持する必要性から、肘掛けや背当てが設けられることが好ましい。このため、座部の天板に肘掛けや背当てを設け、用便時以外には、椅子としても使用可能な家具調ポータブルトイレが提供されている（例えば、特許文献１参照）。
【特許文献１】実用新案登録第２５４７４７９号公報
【発明の開示】
【発明が解決しようとする課題】
【０００４】
ところで、前述した家具調ポータブルトイレにおいては、肘掛けが固定されており、使用者が側方からポータブルトイレに移乗しようとしても、肘掛けが邪魔になって乗り移ることができないものである。例えば、ベッドなどからポータブルトイレに乗り移る場合、ベッドなどと平行にポータブルトイレを配置し、ポータブルトイレの側方から乗り移ることができれば、介助者の労力も少なく、また、使用者の負担も少なくなるが、肘掛けが固定されているため、側方からの移乗は不可能である。このため、使用者は、介助者の手助けによってポータブルトイレの前方にいったん回り込み、向きを変えて腰掛け動作をとらなければならず、使用者の負担が大きくなる。この場合、使用者の体力が低下しているために、全面的に介助者の手助けを必要とする場合には、介助者に大きな労力を強いるものとなる。
【０００５】
本発明は、このような問題点に鑑みてなされたもので、必要に応じて肘掛けを跳ね上げて側方を開放することのできる椅子の肘掛け構造を提供するものである。
【課題を解決するための手段】
【０００６】
本発明は、左右の框および左右の框の上端部にわたって架設された笠木からなる背当てを設けた椅子において、前記背当ての左右の框に該框を包囲してそれぞれ取付金具が固定され、各肘掛けのアームが取付金具に設けた軸部にそれぞれ回動自在に軸支されるとともに、各肘掛けのアームが取付金具に設けたストッパに略水平状態に支持されることを特徴とするものである。
【０００７】
本発明によれば、背当ての框を包囲して固定された取付金具に対して肘掛けを略水平状態に支持することができるとともに、略水平状態から跳ね上げて回動させることができる。このため、椅子の側方を開放することができ、開放された側方から座部に移乗することができる。
【０００８】
この場合、框を包囲して取付金具が固定され、取付金具に設けた軸部に肘掛けが回動自在に軸支されるとともに、ストッパによって略水平状態に支持することができることから、肘掛けに作用する荷重を取付金具で支持することができ、框の一面に直接金具を取り付
けた場合に比較して、金具の弛みや離脱が長期にわたって防止され、安定した回動操作を行うことができる。また、肘掛けに垂直荷重や水平荷重、ひねりなどが作用したとしても、肘掛けが框と直接触することがないため、框に凹凸が発生するのを防止することができる。
【０００９】
本発明において、前記ストッパが肘掛けのアームとの当接位置を調整自在であると、肘掛けが略水平位置に支持されるように調整することができる。
【００１０】
本発明において、前記肘掛けのアームにストッパピンが摺動自在に嵌挿されるとともに、ストッパピンに対応して取付金具に嵌合穴が形成され、また、ストッパピンは、嵌合穴に嵌合する方向にスプリングを介して付勢されていると、ストッパピンを取付金具の嵌合穴に嵌合させた場合、肘掛けが回動しないように阻止することができる。
【００１１】
ここで、嵌合穴の形成位置としては、肘掛けが略水平となる位置および略垂直となる位置の２箇所が好ましい。
【００１２】
本発明において、前記背当ての左右の框にわたって複数本の補強材が配設されていると、肘掛けの一方に使用者の体重などの下向きの負荷によって左右の框間にひねりが発生したとしても、框のひねり変形およびひねり変形による破損を確実に防止することができる。
【００１３】
ここで、補強材としては、金属製のパイプや木製の棒が採用される。
【００１４】
本発明において、前記ストッパピンの直径方向にロックピンが設けられる一方、肘掛けのアームにロックピンが嵌入可能なガイド穴が形成されていると、ストッパピンのロックピンがガイド穴に嵌入されているとき、ストッパピンは、スプリングの付勢力によって取付金具の嵌合穴に嵌合する方向に付勢される。一方、ストッパピンをスプリングの付勢力に抗して取付金具の嵌合穴から引き出して、すなわち、ロックピンをガイド穴から引き出して設定角度回転させることにより、ロックピンを肘掛けのアーム外面に係止することができる。この際、ストッパピンは、嵌合穴から離脱していることにより、ストッパピンに煩わされることなく肘掛けを簡単に回動させることができる。
【００１５】
本発明において、前記肘掛けのアームの後端部に、取付金具との間隔を保持する規制突起を設けると、一方の肘掛けに他方の肘掛けとの間隔を拡開するような横向きの力が作用したとしても、取付金具とアームの後端部との間隔は、取付金具と常時当接する規制突起によって一定に保持され、アームの開き出しが規制される。この結果、肘掛けのアームを介して取付金具の軸部に曲げ荷重が作用することがなく、曲げ荷重による軸部の損傷を防止することができる。
【００１６】
この場合、規制突起は、取付金具と常時当接することから、接触による金属音の発生を防止するため、樹脂製が好ましい。
【発明の効果】
【００１７】
本発明によれば、必要に応じて肘掛けを跳ね上げて側方を開放することができ、開放された側方から座部に移乗させることができる。
【発明を実施するための最良の形態】
【００１８】
以下、本発明の実施の形態を図面を参照して説明する。
【００１９】
図１には、本発明の肘掛け構造を有するポータブルトイレ１の一実施形態が示されてい
る。
【００２０】
このポータブルトイレ１は、開口部が形成された座板２１および座板２１の周縁に垂設された周壁２２を有する座部２と、座部２の周壁２２に設けられた背当て３と、背当て３に固定された取付金具４と、取付金具４に回動自在に軸支された肘掛け５と、からなり、主に木材によって家具調に形成されている。
【００２１】
なお、詳細には図示しないが、座板２１の開口部の周縁には、便座が配設される一方、座板２１の開口部および便座を覆って座板２１にシート６が載置され、また、便座の周縁には、図示しない汚物ポットが支持されている。
【００２２】
なお、周壁２２には、支持脚２３が固定されており、後方の支持脚２３には、キャスター２３１が回転自在に設けられている。
【００２３】
背当て３は、座部２の周壁２２に固定された左右一対の框３１および左右の框３１の上端部間にわたって固定された笠木３２からなり、左右の框３１にそれぞれ取付金具４が取り付けられている。また、左右の框３１，３１間には、笠木３２との取付位置よりも下方で、かつ、取付金具４よりも上方に位置して、水平方向に間隔をおいて２本の補強材、例えば、金属製のパイプ（図示せず）が連結ボルト３３（図３参照）によって固定されている。このため、一方の肘掛け５に使用者の体重などの下向きの負荷が作用することにより、左右の框３１間にひねりが発生したとしても、框３１のひねり変形およびひねり変形による破損を確実に防止することができる。
【００２４】
この場合、補強材としては、金属製パイプに代えて木製の棒を用いることもできる。
【００２５】
取付金具４は、図２に示すように、框３１に嵌合可能な内面幅を有する断面Ｕ字状のベース４１と、ベース４１の対向する一対のフランジ部を挟み込む内面幅を有する断面Ｕ字状のブラケット４２と、からなり、ベース４１およびブラケット４２によって框３１の外周面を一定高さ範囲にわたって包囲するように設定されている。そして、ベース４１には、框３１の厚み方向に貫通して形成された３組計９個の貫通穴（図示せず）に対応して３組計９個の雌ねじ４１ａが形成されるとともに、取付穴４１ｂが形成されており、ベース４１は、框３１の各貫通穴に各雌ねじ４１ａをそれぞれ一致させて、框３１の内面側に取付穴４１ｂを通してビス固定されている。
【００２６】
一方、ブラケット４２には、１組計３個の取付穴４２ａが形成されており、框３１の３組の貫通穴およびベース４１の３組の雌ねじ４１ａのうちの選択された任意の１組計３個の貫通穴および雌ねじ４１ａに取付穴４２ａを合わせて、ブラケット４２を框３１の外面側に配置し、取付穴４２ａを通して連結ボルト４３（図３参照）をベース４１の雌ねじ４１ａにねじ込むことにより、ベース４１に対してブラケット４２を固定することができる。
【００２７】
このため、使用者の体格に合わせて、ベース４１に対するブラケット４２の取付高さ位置を３段階に調整することができる。しかも、ベース４１の雌ねじ４１ａに連結ボルト４３を介してブラケット４２を固定することから、木製の框３１に直接ネジ止めする場合に比較して、ブラケット４２に荷重が繰り返して作用しても、ネジが弛んだり、離脱することが確実に防止される。また、肘掛け５の回動時、肘掛け５が直接框３１と接触することがなく、肘掛け５との接触によって框３１に凹凸が発生するのを防止できる。
【００２８】
また、ブラケット４２には、図２に示すように、肘掛け５のアーム５２を回動自在に軸支する軸部４２１がほぼ中心部に一体に設けられるとともに、その前方下部に位置してス
トッパ４２２が設けられている。このストッパ４２２は、ブラケット４２に固定されたストッパ台４２３および該ストッパ台４２３に固定されたナット４２４からなり、ナット４２４に調整ボルト４４（図５参照）をねじ込むことにより、ナット４２４に対する調整ボルト４４の突出量を調節して、アーム５２との当接位置を調整することができる。
【００２９】
なお、調整ボルト４４の頭部には、樹脂製のボルトカバー４５が装着されており、調整ボルト４４に対するアーム５２の当接をボルトカバー４５によって緩衝し、両者が直接当接することに伴う金属音の発生や磨耗を防止している。
【００３０】
また、ブラケット４２の軸部４２１には、雌ねじ４２１ａが形成されており、軸部４２１にアーム５２を軸支した際、軸部４２１にブッシュ４６を装着するとともに、ボルト４７を軸部４２１の雌ねじ４２１ａにねじ込むことにより、軸部４２１からのアーム５２の抜け出しが防止されている。
【００３１】
さらに、ブラケット４２には、軸部４２１の中心から設定半径の円周と、軸部４２１の中心を通過する水平線とが交わる位置および該交差位置から９０度の間隔をおいた位置にそれぞれ嵌合穴４２ｂが形成されており、この嵌合穴４２ｂに、後述するストッパピン５３が嵌合可能となっている。
【００３２】
肘掛け５は、図３乃至図５に詳細に示すように、肘掛け本体５１と、肘掛け本体５１の下面に固定され、基端部に軸穴５２ａが形成された金属製のアーム５２と、からなり、アーム５２の軸穴５２ａがブラケット４２の軸部４２１に軸支されている。そして、アーム５２には、前述したブラケット４２の嵌合穴４２ｂに対応する位置において、リング５３１を有するストッパピン５３がアーム５２の厚み方向に摺動自在に嵌挿されている。このストッパピン５３は、スプリング５４によってアーム５２の内面から一定長さ突出するように付勢されており、肘掛け５が水平位置にあるとき、あるいは、肘掛け５を跳ね上げて水平位置から９０度回動させた垂直位置にあるとき、ブラケット４２の嵌合穴４２ｂにスプリング５４の付勢力によって嵌合するように設定されている。
【００３３】
なお、肘掛け本体５１は、適当な剛性を有する材料であって、例えば、寒冷時に使用者が触れても冷たく感じない程度に熱伝導率の低い、木材やプラスチックなどによって形成されることが好ましい。また、この肘掛け本体５１の表面は、エラストマーやプラスチック発泡体、合成皮革等のクッション性を有する素材によって被覆されてもよい。
【００３４】
また、アーム５２における軸穴５２ａの内面側周囲には、ブラケット４２と直接接触するのを防止するため、樹脂製のスペーサ５５が配設されており、両者が直接当接することに伴う金属音の発生や磨耗を防止している。
【００３５】
このように構成された肘掛け５を取り付けるには、まず、背当て３の框３１に固定されているベース４１に対して選択された１組の雌ねじ４１ａを選択し、框３１の外面側からブラケット４２をあてがい、その取付穴４２ａを通して連結ボルト４３を挿入し、ベース４１の雌ねじ４１ａにねじ込んでベース４１にブラケット４２を固定する。この際、ブラケット４２のストッパ４２２のナット４２４に調整ボルト４４をねじ込んでおく。
【００３６】
次いで、予め肘掛け本体５１およびアーム５２が一体に締結され、また、ストッパピン５３が配設されるとともに、スペーサ５５が装着された肘掛け５を把握し、アーム５２の軸穴５２ａをブラケット４２の軸部４２１に嵌挿する。この後、軸部４２１にブッシュ４６を嵌め込み、軸部４２１の雌ねじ４２１ａにボルト４７をねじ込んで、肘掛け５が軸部４２１から離脱するのを防止する。
【００３７】
肘掛け５の取り付けが終了すれば、肘掛け５が水平となるように、ストッパ４２２のナット４２４に対する調整ボルト４４の突出量を調整した後、調整ボルト４４の頭部にボルトカバー４５を装着する。この状態では、ストッパピン５３の先端部がブラケット４２の嵌合穴４２ｂに嵌合されており、肘掛け５は、水平状態に保持されて、回動が阻止されている。
【００３８】
このため、水平位置に保持された肘掛け５を持ち上げることにより、ポータブルトイレ１を後方に傾けてキャスター２３１を接地させることができ、キャスター２３１を利用してポータブルトイレ１を軽快に移動させることができる。
【００３９】
一方、肘掛け５を跳ね上げて側方を開放するには、リング５３１によってストッパピン５３をスプリング５４の付勢力に抗して一定距離引き出して、ブラケット４２の嵌合穴４２ｂから離脱させた後、肘掛け５を上方に持ち上げればよい。そして、肘掛け５を上方に持ち上げて、９０度回動させれば、ストッパピン５３がブラケット４２のもう一つの嵌合穴４２ｂに嵌合することから、肘掛け５を水平位置から９０度回動させた垂直位置に回動しないように保持することができる。この結果、肘掛け５は、軸部４２１回りに回動して、上方に跳ね上げられて保持されていることから、ポータブルトイレ１の側方を開放することができ、開放された側方から使用者を移乗させることができる。
【００４０】
この場合、ボルト４７をねじ込むことにより、ブラケット４２に対するスペーサ５５の摩擦抵抗を調整することができる。すなわち、肘掛け５を水平状態から後方に向けて上方に跳ね上げた際、肘掛け５が自然落下することなく保持されるように、ブラケット４２に対するスペーサー５５の摩擦抵抗を調整することができ、一方、肘掛け５を跳ね上げた位置からスペーサー５５の摩擦抵抗に抗して水平位置へと回動させることができる。
【００４１】
ところで、前述した実施形態においては、ストッパピン５３は、スプリング５４の付勢力によってブラケット４２の嵌合穴４２ｂに嵌合する方向に常時付勢されている。したがって、使用者が重度の要介護者の場合において、不測の事態が発生しないように、肘掛け５を水平位置あるいは垂直位置に保持することができる。一方、使用者が軽度の要介護者の場合には、必要に応じて簡単に肘掛け５を回動できることが好ましい。すなわち、肘掛け５を回動させるためには、ストッパピン５３をスプリング５４の付勢力に抗して一定距離引き出し、ブラケット４２の嵌合穴４２ｂから抜き出したり、ブラケット４２と接触しないように抜き出す必要があり、操作が煩わしい。
【００４２】
このような観点から、図６乃至および図８には、肘掛け５の変形例が示されている。
【００４３】
この肘掛け５の変形例を説明するに際しても、同一の部材には同一の符号を付すとともに、相違する点についてのみ説明するものとする。
【００４４】
この肘掛け５のストッパピン５３には、その直径方向を貫通してロックピン５６が設けられる一方、ストッパピン５３に合わせてアーム５２の外面に設けられた取付座金５７には、前述のロックピン５６が嵌入可能なガイド穴５７ａが水平方向に形成されている。
【００４５】
なお、取付座金５７には、ガイド穴５７ａに直交して、ロックピン５６が係止可能な係止溝５７ｂが合わせて形成されている。
【００４６】
そして、ストッパピン５３に設けたロックピン５６が取付座金５７のガイド穴５７ａに嵌入されるとき、ストッパピン５３は、スプリング５４の付勢力によりその先端部がブラケット４２の嵌合穴４２ｂに嵌合する方向に付勢されている（図７参照）。また、ストッパピン５３の摘み５３２を把握し、ロックピン５６が取付座金５７のガイド穴５７ａから
抜け出すように引き出した後、９０度回転させて、ロックピン５６を取付座金５７の係止溝５７ｂに係止させるとき、スプリング５４の付勢力に抗してストッパピン５３の先端部は、ブラケット４２の嵌合穴４２ｂから離脱されている（図８参照）。
【００４７】
この結果、ストッパピン５３を引き出して９０度回転させ、ロックピン５６を取付座金５７の係止溝５７ｂに係止させれば、ストッパピン５３は、ブラケット４２の嵌合穴４２ｂから離脱され、その状態に保持される。したがって、肘掛け５をストッパピン５３に関係なく簡単に回動させることができる。
【００４８】
肘掛け５の回動を再び規制する場合は、肘掛け５をボルトカバー４５に当接するまで回動させた後、ストッパピン５３の摘み５３２を把握して若干引き出して、ストッパピン５３を９０度回転させれば、ロックピン５６は取付座金５７のガイド穴５７ａに嵌入し、スプリング５４の付勢力によってストッパピン５３は、その先端部がブラケット４２の嵌合穴４２ｂに嵌合することから、以後、肘掛け５は、水平位置に保持されて、意図しない回動が規制される。
【００４９】
この肘掛け５の変形例では、アーム５２の後端部内面に、ブラケット４２との間隔を保持する樹脂製の規制突起５８が設けられており、アーム５２の回動範囲内において、アーム５２の内面とブラケット４２との間隔が一定に保持されている。このため、一方の肘掛け５に他方の肘掛け５との間隔を広げるような水平方向の力が作用したとしても、規制突起５８がブラケット４２と当接してアーム５２の外方への開き出しが規制される。この結果、アーム５２の開き出しによって軸部４２１に曲げ力が作用することが防止され、曲げによる軸部４２１の損傷を防止することができる。また、規制突起５８は樹脂製であるため、ブラケット４２と接触することに伴う金属音の発生が防止される。
【００５０】
なお、本発明の実施形態においては、家具調ポータブルトイレ１の肘掛け５に適用した場合を説明したが、ポータブルトイレに用いる肘掛けに限らず、家具としての椅子にも適用することができる。
【００５１】
また、椅子としては、座板２１および座板２１の周縁に垂設された周壁２２によって座部２を形成し、この座部２に背当て３を設けて構成した場合を例示したが、側壁部と框部とを一体に有するように切り出された一対の板材間に、開口部を形成した座板、前壁、後壁および笠木を連結して椅子を構成してもよい。
【産業上の利用可能性】
【００５２】
以上説明したように、本発明の椅子の肘掛け構造によれば、必要に応じて肘掛けを跳ね上げて側方を開放することができるため、椅子の使用形態を拡大することが可能となる。
【図面の簡単な説明】
【００５３】
【図１】本発明の椅子の肘掛け構造をポータブルトイレに適用した実施形態を示す全体側面図である。
【図２】図１のポータブルトイレの取付金具を示す分解斜視図である。
【図３】図１の要部を拡大して示す側面図である。
【図４】図３に対応して図１の要部を拡大して示す平面図である。
【図５】図３のＡ−Ａ線断面図である。
【図６】肘掛けの変形例を一部省略して示す斜視図である。
【図７】図６の肘掛けの要部を拡大して示す平面図である。
【図８】図６の肘掛けの要部を拡大して示す平面図である。
【符号の説明】
【００５４】
１  ポータブルトイレ
２  座部
３  背当て
３１  框
３２  笠木
４  取付金具
４１  ベース
４２  ブラケット
４２１  軸部
４２２  ストッパ
４３  連結ボルト
４４  調整ボルト
４５  ボルトカバー
５  肘掛け
５１  肘掛け本体
５２  アーム
５３  ストッパピン
５４  スプリング
５５  スペーサ
５６  ロックピン
５７  取付座金
５８  規制突起
【図１】
2005137873.tif 000003
【図２】
2005137873.tif 000004
【図３】
2005137873.tif 000005
【図４】
2005137873.tif 000006
【図５】
2005137873.tif 000007
【図６】
2005137873.tif 000008
【図７】
2005137873.tif 000009
【図８】
2005137873.tif 000010